(57)【要約】【課題】トラクタ車速連動粉粒材散布機において、作業を円滑に継続させるためには、作業中に作業状況などを作業者に把握させる。【解決手段】トラクタ側から送信される車速信号を受信して、車速信号に応じて粉粒材を繰り出す繰り出し部の駆動モータを制御する車速連動モードの制御部を備えたトラクタ車速連動粉粒材散布機の作業支援システムであって、制御部と通信回線で接続されている情報通信端末を備え、情報通信端末は、制御部によって制御されているトラクタ車速連動粉粒材散布機の作業状況を含む作業支援情報を表示する表示部を備える。【選択図】図１
2020054277.tif 000002
【特許請求の範囲】
【請求項１】
トラクタ側から送信される車速信号を受信して、該車速信号に応じて粉粒材を繰り出す繰り出し部の駆動モータを制御する車速連動モードの制御部を備えたトラクタ車速連動粉粒材散布機の作業支援システムであって、
前記制御部と通信回線で接続されている情報通信端末を備え、
前記情報通信端末は、
前記制御部によって制御されている前記トラクタ車速連動粉粒材散布機の作業状況を含む作業支援情報を表示する表示部を備えることを特徴とするトラクタ車速連動粉粒材散布機の作業支援システム。
【請求項２】
前記作業支援情報は、入力された粉粒材の投入量から作業中に繰り出された粉粒材の繰り出し量の積算値を差し引いた残量情報を含むことを特徴とする請求項１に記載されたトラクタ車速連動粉粒材散布機の作業支援システム。
【請求項３】
前記繰り出し量は、前記繰り出し部を作業前に作動させて単位時間当たりの繰り出し量を計測することで設定された前記駆動モータの出力と単位時間当たり繰り出し量との比例関係式と設定された散布条件を基に、前記車速信号に応じて求められることを特徴とする請求項２に記載されたトラクタ車速連動粉粒材散布機の作業支援システム。
【請求項４】
前記残量情報は、設定された散布条件での散布可能距離であることを特徴とする請求項２又は３に記載されたトラクタ車速連動粉粒材散布機の作業支援システム。
【請求項５】
前記残量情報は、満貯留量に対する残量割合であることを特徴とする請求項２又は３に記載されたトラクタ車速連動粉粒材散布機の作業支援システム。
【請求項６】
前記作業支援情報は、前記車速信号によって前記繰り出し部の駆動モータが制御されていることの動作確認情報であることを特徴とする請求項１に記載されたトラクタ車速連動粉粒材散布機の作業支援システム。
【請求項７】
前記作業支援情報は、前記繰り出し部を車速連動制御することができる上限車速及び下限車速と、現在の前記車速信号によって求められる車速との関係を示す動作確認情報であることを特徴とする請求項１に記載されたトラクタ車速連動粉粒材散布機の作業支援システム。
【請求項８】
前記情報通信端末は、
前記車速連動モードの制御が解除されている場合に、
入力された設定車速を表示すると共に、前記車速連動モードにて設定されている散布条件と前記設定車速から算出される前記繰り出し部の駆動出力設定値を表示することを特徴とする請求項１〜７のいずれか１項に記載されたトラクタ車速連動粉粒材散布機の作業支援システム。
【請求項９】
前記駆動出力設定値は、前記繰り出し部を作業前に作動させて単位時間当たりの繰り出し量を計測することで設定された前記駆動モータの出力と単位時間当たり繰り出し量との比例関係式に基づいて設定されることを特徴とする請求項８に記載されたトラクタ車速連動粉粒材散布機の作業支援システム。
【発明の詳細な説明】
【技術分野】
【０００１】
本発明は、トラクタの車速に連動して粉粒材の繰り出し量を制御する粉粒材散布機における作業支援システムに関するものである。
【背景技術】
【０００２】
粉粒材散布機は、肥料や土壌改良剤などの粉粒材を圃場に散布する作業機であり、一般にはトラクタに直装されるか、或いはトラクタに直装される耕耘作業機（例えば、ロータリ耕耘作業機）の前方又は後方に装着され、トラクタの後方又は前方から圃場上に粉粒材を散布するものである。粉粒材散布機は、粉粒材が収容されるホッパー部と、ホッパー部の下部に設置され粉粒材をホッパー部から繰り出す繰り出し部と、ホッパー部から繰り出された粉粒材を圃場上に導出する散布ホースを備えている。
【０００３】
前述した粉粒材散布機は、作業速度（トラクタの車速）が変化した場合であっても、単位面積当たりに散布される粉粒材の散布量が設定値から変化しないこと（すなわち、均一散布）が求められており、この均一散布を実現するために、作業速度が速い場合には単位時間当たりの繰り出し量を多くし、作業速度が遅い場合には単位時間当たりの繰り出し量を少なくするという、繰り出し部の駆動制御を行っている。
【０００４】
このような繰り出し部の駆動制御は、従来、繰り出しロールの回転数制御（繰り出しロールを回転する駆動モータの出力制御）によって行われており、下記特許文献１に記載された従来技術では、作業速度（車速）をトラクタや粉粒材散布機に設置したＧＰＳ受信機の位置情報変化から算出し、算出した作業速度（車速）に応じて繰り出し部を制御している。
【先行技術文献】
【特許文献】
【０００５】
【特許文献１】特許第５８０２７２４号公報
【発明の概要】
【発明が解決しようとする課題】
【０００６】
前述した従来技術によると、トラクタを運転する作業者は、作業速度（トラクタの車速）を一定に維持することに注意を取られることなく、設定した単位面積当たりの散布量での均一散布を実現することができる。しかしながら、車速連動型の散布機において、作業速度が頻繁に変化した場合には、それに応じて単位時間当たりの繰り出し量が変化することになるので、ホッパー部に貯留されている粉粒材の残留状態がどの程度変化しているかを、作業者が正確に把握し難くなる。このため、圃場の中程での作業中に残量切れになった場合に、作業者がそれに気付かない事態が生じ易くなる問題があった。
【０００７】
また、前述した従来技術では、車速に連動して駆動制御されているはずの繰り出し部に何らかの不具合が生じて、作業中に所望の動作制御が行われていない事態が想定される。このような場合にも、作業者がその事態に気付かずにトラクタの走行を継続させてしまう問題があった。
【０００８】
このように、前述した従来の車速連動型の粉粒材散布機は、車速の変化を気にすること無く均一散布を行うことができるが、制御に任せることで、作業の進行によって逐次変化する作業状況や繰り出し部の駆動状況を作業者が把握し難くなる問題があり、車速連動制御による散布作業に「作業の見える化」を加えて、より円滑に散布作業を継続させることが求められていた。
【課題を解決するための手段】
【０００９】
このような課題を解決するために、本発明は、以下の構成を具備するものである。
トラクタ側から送信される車速信号を受信して、該車速信号に応じて粉粒材を繰り出す繰り出し部の駆動モータを制御する車速連動モードの制御部を備えたトラクタ車速連動粉粒材散布機の作業支援システムであって、前記制御部と通信回線で接続されている情報通信端末を備え、前記情報通信端末は、前記制御部によって制御されている前記トラクタ車速連動粉粒材散布機の作業状況を含む作業支援情報を表示する表示部を備えることを特徴とするトラクタ車速連動粉粒材散布機の作業支援システム。
【発明の効果】
【００１０】
このような特徴を有するトラクタ車速連動粉粒材散布機の作業支援システムによると、車速連動制御が行われている散布作業において、「作業の見える化」を実現することができる。これによって作業者は、車速連動制御による均一散布を、より円滑に継続させることが可能になり、トラクタ車速連動粉粒材散布機の作業性をより高めることができる。
【図面の簡単な説明】
【００１１】
【図１】トラクタ車速連動粉粒材散布機の作業支援システムのシステム構成の概要を示した説明図である。
【図２】トラクタに装着された散布機の構成を示した説明図である。
【図３】トラクタに装着された散布機の構成を示した説明図である。
【図４】繰り出し部の構成を示した説明図である。
【図５】制御部の機能を示した説明図である。
【図６】調量工程を説明する説明図である（（ａ）が下枠を取り外す工程、（ｂ）が繰り出された粉粒材を容器に回収する工程、（ｃ）が容器に回収した粉粒材の重量を秤で計測する工程）。
【図７】調量線（比例関係式）を説明する説明図である。
【図８】制御部における車速連動モードを説明する説明図である。
【図９】制御部における車速連動解除モードを説明する説明図である。
【図１０】情報通信端末の表示例（車速連動モード時）を示した説明図である。
【図１１】情報通信端末の表示例（車速連動解除モード時）を示した説明図である。
【発明を実施するための形態】
【００１２】
以下、図面を参照して本発明の実施形態を説明する。以下の説明で、異なる図における同一符号は同一機能の部位を示しており、各図における重複説明は適宜省略する。
【００１３】
本発明の実施形態に係るトラクタ車速連動粉粒材散布機の作業支援システムは、図１に示す情報通信端末１００によって実現することができる。情報通信端末１００は、トラクタ車速連動粉粒材散布機（以下、単に散布機という）１の制御部（コントローラ）１０及びトラクタのＥＣＵ（engine control unit：エンジンコントロールユニット）２０と通信回線で接続されている。
【００１４】
制御部１０は、トラクタ側（トラクタのＥＣＵ２０）から通信回線を経由して車速信号を受信し、この車速信号によって散布機１における粉粒材の繰り出し部を駆動制御するものであり、これによってトラクタ車速連動型の散布機１が実現されている。ここでの通信回線は、ＣＡＮ通信やBluetoothなどの規格化された有線又は無線通信回線を採用することができ、より具体的には、ＡＧ−ＰＯＲＴ（農業機械の通信制御共通化プロトコル）通信を採用することができる。
【００１５】
散布機１は、図２及び図３に示すように、トラクタＴに装着することで、トラクタＴを進行させながら圃場面などに粉粒材を散布するものである。この散布機１は、図示のように、トラクタＴ後部に直装されるロータリ耕耘作業機Ｒの上に装着することができるが、これに限らず、トラクタＴ後部の３点リンクに直装してもよいし、トラクタＴの前部などに装着してもよい。以下、図２及び図３に示すように、ロータリ耕耘作業機Ｒの上に装着されている散布機１を前提にして説明する。
【００１６】
図２及び図３に示した散布機１は、周知の構成を備えており、例えば、粉粒材を収容するホッパー部２と、収容された粉粒材をホッパー部２の底部から下方に繰り出す繰り出し部３と、繰り出し部３から繰り出される粉粒材を圃場面近くに導出する散布ホース４を備えている。散布機１は、枠体５を介してロータリ耕耘作業機Ｒ上に装着されており、ロータリ耕耘作業機Ｒの横幅（ロータリ巾）Ｌの方向に複数台並列配置することで、粉粒材をロータリ巾Ｌ内で均等に散布できるようにしている。図３に示した例では、２台の散布機１をロータリ巾Ｌの方向に並列配置しており、１台の散布機１のホッパー部２に２つの漏斗部２ａを設けて、各漏斗部２ａに設けた繰り出し部３に２本の散布ホース４を接続している。
【００１７】
繰り出し部３は、図３及び図４に示すように、漏斗部２ａの底部開口２ｂ付近に配備される繰り出しローラ３ａと、繰り出しローラ３ａを回転駆動する駆動モータ３ｂを備えている。前述した制御部１０によって駆動モータ３ｂの出力を制御することで、繰り出しローラ３ａの回転数が制御され、繰り出しローラ３ａの回転数に応じて、ホッパー部２に貯留されている粉粒材Ｍの繰り出し量が制御される。図３に示す例では、連結軸３ｃで接続された一対の繰り出しローラ３ａが一つの駆動モータ３ｂで駆動されている。
【００１８】
繰り出し部３にはシャッタ６が設けられており、シャッタ６をスライドさせることで底部開口２ｂが開放される。また、繰り出し部３において散布ホース４が接続されている下枠３ｄは、シャッタ６が取り付けられている上枠３ｅに対して着脱自在に取り付けられている。後述する調量工程を行う際には、この下枠３ｄが取り外される。
【００１９】
制御部１０による繰り出し量の制御について具体的に説明する。図５に示すように、制御部１０には、調量手段１０Ａ、車速連動モード１０Ｂ、車速連動解除モード１０Ｃの３つの機能が設けられている。
【００２０】
調量手段１０Ａは、繰り出し部３を作業前に実際に作動させて単位時間当たりの繰り出し量（ｋｇ／ｍｉｎ）を計測することで、駆動モータ３ｂの出力と単位時間当たり繰り出し量（ｋｇ／ｍｉｎ）の比例関係式（調量線）を設定する手段である。
【００２１】
車速連動モード１０Ｂは、実際の散布作業において、調量手段１０Ａで設定された調量線に基づいて、ＥＣＵ２０から送信される車速信号に応じて駆動モータ３ｂを制御することで、設定された散布量（１０アール当たり散布量）での均一散布を実行する動作モードである。車速連動モード１０Ｂが選択されている場合には、作業者はトラクタの車速変動を気にすること無く設定された散布量での均一散布を行うことができる。
【００２２】
車速連動解除モード１０Ｃは、実際の散布作業において、調量手段１０Ａで設定された調量線に基づいて、入力された設定車速に対して、設定された散布量（１０アール当たり散布量）での均一散布を実行するための駆動モータ３ｂの出力設定（「目盛り値」の設定）を行う動作モードである。車速連動解除モード１０Ｃが選択されている場合には、作業者は、設定入力した設定車速に合わせてトラクタを定速運転する必要があるが、この定速運転が実現されれば、設定された散布量での均一散布を行うことができる。
【００２３】
調量手段１０Ａについて具体的に説明する。繰り出し部３における粉粒材Ｍの単位時間当たりの繰り出し量（ｋｇ／ｍｉｎ）は、繰り出しローラ３ａの回転数が同じであったとしても、粉粒材Ｍの種類や散布作業当日の天候（主に影響するのは湿度）などによって異なる値になる。この点が、粉粒材散布機特有の問題点になっている。この問題を解消するために、制御部１０においては、散布作業直前に繰り出し部３を実際に一定時間動作させて、単位時間当たりの繰り出し量を実測（秤で計測）することで、駆動モータ３ｂの出力と単位時間当たりの繰り出し量の関係を事前設定する。これが調量手段１０Ａの機能である。
【００２４】
調量手段１０Ａは、「調量１」の選択入力で、駆動モータ３ｂを設定時間（例えば、３０秒）だけ低速回転出力（例えば、最大出力の２０％）で駆動し、「調量２」の選択入力で、駆動モータ３ｂを設定時間（例えば、３０秒）だけ高速回転出力（例えば、最大出力の９０％）で駆動する。
【００２５】
調量手段１０Ａを実行する調量工程では、先ず、図６（ａ）に示すように、繰り出し部３の下枠３ｄを取り外す。次に、図６（ｂ）に示すように、繰り出し部３にバケツなどの容器Ｃを配置して（図示の例では、繰り出し部３のシャッタ６に容器Ｃの取っ手を引っ掛けている。）、「調量１」を実行し、繰り出し部３から繰り出された粉粒材Ｍを容器Ｃに回収する。その後、図６（ｃ）に示すように、容器Ｃに回収した粉粒材Ｍの重量を秤Ｄで計測することで、「調量１」での単位時間当たり繰り出し量Ｍ１を求める。次に、「調量２」を同様に実行して、「調量２」での単位時間当たり繰り出し量Ｍ２を求める。
【００２６】
調量手段１０Ａで求められる単位時間当たり繰り出し量Ｍ１，Ｍ２（ｋｇ／ｍｉｎ）は、調量手段１０Ａで設定されている動作時間が３０秒である場合には、「調量１」において秤Ｄで計測された重量がＷ１ｋｇであり、「調量２」において秤Ｄで計測された重量がＷ２ｋｇであって、ロータリ巾Ｌ内の繰り出し部３の並列数がｎ個であるとすると、Ｍ１＝２×Ｗ１×ｎ、Ｍ２＝２×Ｗ２×ｎで求めることができる。
【００２７】
調量手段１０Ａは、調量工程で求めた単位時間当たり繰り出し量Ｍ１，Ｍ２を制御部１０に入力することで、図７に示すように、駆動モータ３ｂの出力（Ｘ％）と単位時間当たりの繰り出し量（Ｍｋｇ／ｍｉｎ）との関係を、比例関係式（調量線：Ｍ＝ａ・Ｘ＋ｂ）にて設定する。
【００２８】
次に、制御部１０おける車速連動モード１０Ｂについて説明する。車速連動モード１０Ｂでは、トラクタのＥＣＵ２０から制御部１０に入力される車速信号によって、駆動モータ３ｂの出力が制御される。均一散布を行うためには、車速が速くなるに連れて駆動モータ３ｂの出力を高めて、単位時間当たりの繰り出し量を大きくする制御がなされる。
【００２９】
車速連動モード１０Ｂが設定された制御部１０では、図８に示すように、前述した「調量１」，「調量２」の単位時間当たり繰り出し量Ｍ１，Ｍ２（ｋｇ）と、ロータリ巾Ｌ（ｍ）と、１０アール当たり散布量Ｓ（ｋｇ）からなる散布条件が設定入力されることで、随時入力される車速信号に応じて駆動モータ３ｂの出力が制御される。
【００３０】
ここで、調量１と調量２によって求められた単位時間当たり繰り出し量Ｍ１，Ｍ２の入力で設定された調量線をＭ＝ａ・Ｘ＋ｂ（Ｍ：ロータリ巾Ｌ内の単位時間当たり総繰り出し量（ｋｇ／ｍｉｎ），Ｘ：駆動モータ出力（％），ａ，ｂ：Ｍ１，Ｍ２によって定まる定数）として、入力される車速信号によって求められる車速Ｖ（ｍ／ｓ）と駆動モータ出力Ｘ（％）の関係は以下のようになる。
【００３１】
(1)車速Ｖ（ｍ／ｓ）での１分間当たりの散布面積（作業面積）；
６０×Ｖ×Ｌ（ｍ2／ｍｉｎ）
(2)１０アール（１０００ｍ2）当たりの作業時間；
１０００／（６０×Ｖ×Ｌ）（ｍｉｎ）
(3)１分間当たりの散布量；
６０×Ｖ×Ｌ×Ｓ／１０００（ｋｇ／ｍｉｎ）
そうすると、Ｍ＝６０×Ｖ×Ｌ×Ｓ／１０００＝ａＸ＋ｂの関係になるので、Ｘ＝（６０×Ｖ×Ｌ×Ｓ／１０００−ｂ）／ａ（％）となる。
【００３２】
次に、図９において、制御部１０おける車速連動解除モード１０Ｃについて説明する。車速連動解除モード１０Ｃは、何らかの要因で車速信号が制御部１０に送信されなくなった場合に設定されるモードであり、このモードでは、作業者が制御部１０に設定車速Ｖｓを入力して、作業者がトラクタＴをその設定車速Ｖｓで定速運転することを前提にして、駆動モータ３ｂの駆動出力設定値（「目盛り値」）を一定値Ｘｓに設定する。この際、駆動モータ３ｂの駆動出力設定値を求める散布条件（「調量１」，「調量２」の単位時間当たり繰り出し量Ｍ１，Ｍ２（ｋｇ）と、ロータリ巾Ｌ（ｍ）と、１０アール当たり散布量Ｓ（ｋｇ））は、車速連動モード１０Ｂにおける散布条件がメモリに記憶されているか、或いは新たに設定入力される。
【００３３】
車速連動解除モード１０Ｃにおいて、設定車速Ｖｓ（ｍ／ｓ）に対して設定される駆動モータ３ｂの駆動出力設定値Ｘｓは、前述したＸ＝（６０×Ｖ×Ｌ×Ｓ／１０００−ｂ）／ａ（％）において、ＸをＸｓにし、ＶをＶｓにして、Ｘｓ＝（６０×Ｖｓ×Ｌ×Ｓ／１０００−ｂ）／ａ（％）となる。
【００３４】
次に、情報通信端末１００について説明する。情報通信端末１００は、制御部１０によって制御されている散布機１の作業状況を含む作業支援情報を、表示部１０１に表示する。情報通信端末１００は、制御部１０と通信回線で接続された情報処理端末（コンピュータ端末）であり、ディスプレイ装置からなる表示部１０１を備えている。この情報通信端末１００は、図１に示すように、表示部１０１に表示される情報を作業中の作業者に提供するために、トラクタＴの操縦席の近くに設置される。
【００３５】
情報通信端末１００は、通信機能を有するコンピュータ端末によって構成することができ、所謂、タブレット端末やスマートフォン或いはノート型ＰＣなどに所定のプログラム（アプリケーション）を組み込む（ダウンロードする）ことで構成することができる。
【００３６】
情報通信端末１００の表示部１０１は、制御部１０において車速連動モード１０Ｂが選択されている場合には、図１０に示すような作業支援情報が表示される。また、表示部１０１は、制御部１０において車速連動解除モードが選択されている場合には、図１１に示すような設定車速の入力画面と表示画面になる。
【００３７】
情報通信端末１００の表示部１０１に表示される作業支援情報は、図１０に示すように、各種の情報が一画面に表示される。表示部１０１に表示される作業支援情報は、散布作業中に散布機１の動作状態が適正か否かを、作業者が判断することができる情報であり、このような作業支援情報を視認しながら作業を行うことで、作業者は散布作業を円滑に継続させることができるようになる。
【００３８】
表示部１０１に表示される作業支援情報の一つは残量情報である。残量情報は、入力された粉粒材の投入量から作業中に繰り出された粉粒材の繰り出し量の積算値を差し引いた残りの量に関する情報である。作業者は、この残量情報を見ることで、散布機１のホッパー部２に残っている粉粒材Ｍの量を視覚的に認識することできる。
【００３９】
作業中に繰り出された粉粒材の繰り出し量積算値は、「調量１」と「調量２」で設定された調量線（Ｍ＝ａ・Ｘ＋ｂ）を用いて、駆動モータ出力Ｘ（％）の時間変化、或いは、トラクタのＥＣＵ２０から送信される車速信号によって求められる車速Ｖ（ｍ／ｓ）の時間変化によって求めることができる。
【００４０】
すなわち、作業開始時刻Ｔ０から現在時刻Ｔに至るまでに繰り出された粉粒材の積算繰り出し量Ｍｔは、駆動モータ出力Ｘ（％）の時間変化をＸ（ｔ）とし、ロータリ巾Ｌ内の単位時間当たり繰り出し量の時間変化をＭ（ｔ）（ｋｇ／ｍｉｎ）とすると、下記式（ａ）で求めることができる。
【００４１】
【数１】
2020054277.tif 000003
【００４２】
この際、ホッパー部２内の粉粒材の残量Ｍｐ（ｋｇ）は、初期の投入量をＭ０（ｋｇ）とすると、Ｍｐ＝Ｍ０−Ｍｔとなる。ここでの特徴は、残量Ｍｐを「調量１」と「調量２」によって設定された調量線（Ｍ＝ａ・Ｘ＋ｂ）を用いて求めている点にある。このように調量線を基にして残量を求めることで、異なる種類の粉粒材を散布する場合や散布作業当日の天候等に影響を受けること無く、また、散布機１に重量センサを備える重量変動検知装置を設けること無く、精度の高い残量Ｍｐを求めることができる。
【００４３】
図１０に示した例では、前述のように求めた残量Ｍｐを示す残量情報として、「散布可能距離」１０１ａと「肥料メーター」１０１ｂを示している。「散布可能距離」１０１ａは、現在の残量Ｍｐに対して、現在の車速Ｖ（ｍ／ｓ）を一定で継続した場合に散布することができる距離であり、残量Ｍｐを単位時間（１分間）当たりの散布量；６０×Ｖ×Ｌ×Ｓ／１０００（ｋｇ／ｍｉｎ）で除して求めた残り作業時間；１０００×Ｍｐ／（６０×Ｖ×Ｌ×Ｓ）（ｍｉｎ）を車速Ｖ（ｍ／ｓ）で進行する距離に換算した値；１０００×Ｍｐ／（Ｌ×Ｓ）（ｍ）である。これは、言い換えると、現在の残量Ｍｐを１０アール当たり散布量Ｓで均等散布する際に、ロータリ巾（作業幅）Ｌで散布可能な距離ということになる。
【００４４】
「肥料メーター」１０１ｂは、満貯留量（「ｍａｘ」）に対する残量Ｍｐの割合をメーター表示したものである。ここでは、表示ロッド１０１ｃの数で満貯留量に対する残量Ｍｐの割合を示しており、Ｍｓ（ｋｇ）が満貯留量であるとするとＭｐ／Ｍｓを求め、その値に応じて表示ロッド１０１ｃの点灯数を設定している（例えば、Ｍｐ／Ｍ０が１／６未満の場合は点灯数１、Ｍｐ／Ｍ０が５／６より大の場合には点灯数６）。満貯留量Ｍｓは、散布機１毎に初期設定入力され、「ｍａｘ  １４０ｋｇ」のように表示される。
【００４５】
表示部１０１に表示される作業支援情報の他の例は、散布機１の繰り出し部３を車速連動制御することができる「上限車速」１０１ｄ及び「下限車速」１０１ｅと、現在の車速信号によって求められる車速１０１ｆとの関係を示す動作確認情報である。「上限車速」１０１ｄと「下限車速」１０１ｅは、個々の散布機１における繰り出し部３の処理能力によって予め設定されている値である。これらは、散布機１毎に初期設定されているか、或いは散布作業に先だって予め初期入力しておく。
【００４６】
図１０に示した例では、「上限車速」１０１ｄ及び「下限車速」１０１ｅと現在の車速信号によって求められる車速１０１ｆとの関係を、速度メータのようなスケール画像で示している。ここでは、スケール画像の一端側に「上限車速」１０１ｄを表示し他端側に「下限車速」１０１ｅを表示して、スケール画像の中の点灯表示１０１ｇの位置を現在車速に応じて変化させている。この例では、スケール画像の中で「上限車速」１０１ｄと「下限車速」１０１ｅに近い領域を赤色や黄色などで色表示することで、「上限車速」１０１ｄ及び「下限車速」１０１ｅと現在車速１０１ｆとの関係が視覚的に認識し易くなる。これによると、作業者は、現在の車速が「上限車速」と「下限車速」の間に適正に入っていることを確認しながら、散布作業を進行させることができる。
【００４７】
表示部１０１に表示される作業支援情報の他の例は、車速信号によって繰り出し部３の駆動制御が実行されていることの動作確認情報である。図１０に示した例では、表示部１０１に、「散布中」１０１ｈを表示しており、車速信号によって繰り出し部３の駆動モータ３ｂが駆動制御されている状態では、「散布中」１０１ｈが表示され、駆動モータ３ｂが停止している状態では、「散布停止」（図示省略）を表示する。このような画像表示は、駆動モータ３ｂの駆動パルス信号などを情報通信端末１００が受信して、画像表示状態を制御することで実現することができる。
【００４８】
このような動作確認情報を表示部１０１に表示すると、作業者は情報通信端末１００の表示部１０１を見るだけで、繰り出し部３が正常に動作しているか否かを確認することができる。これによって、繰り出し部３が止まっている状態を見逃してトラクタを進行し続けてしまう作業ミスを未然に防ぐことができる。
【００４９】
その他、制御部１０において車速連動モード１０Ｂが選択されている場合の表示例としては、ホッパー部２の満貯留量を設定する「設定」１０１ｋ、制御部１０に設定入力されてメモリに記憶されている散布条件の設定値（１０アール当たり散布量Ｓ、ロータリ巾Ｌ、調量１のＭ１、調量２のＭ２）１０１ｍなどである。
【００５０】
制御部１０において車速連動解除モードが選択されている場合には、表示部１０１は、図１１に示すような表示入力画面になる。この表示入力画面では、設定車速１０１ｎを入力することで、駆動モータ３ｂの駆動出力設定値（「目盛り値」）１０１ｐを自動算出して表示する。更には、制御部１０に設定されている調量線から得られる単位時間当たり繰り出し量Ｍ（ｋｇ／ｍｉｎ）１０１ｓを引用したコメント１０１ｒを表示する。このような情報を表示することで、車速連動モード１０Ｂが解除された場合にも、円滑に散布作業を継続させることができる。
【００５１】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００５２】
１：散布機（トラクタ車速連動粉粒材散布機），
２：ホッパー部，２ａ：漏斗部，２ｂ：底部開口，
３：繰り出し部，３ａ：繰り出しローラ，３ｂ：駆動モータ，
３ｃ：連結軸，３ｄ：下枠，３ｅ：上枠，
４：散布ホース，５：枠体，６：シャッタ，
１０：制御部，
２０：ＥＣＵ（エンジンコントロールユニット），
１００：情報通信端末（タブレット端末など），１０１：表示部，
Ｔ：トラクタ，Ｒ：ロータリ耕耘作業機，
Ｍ：粉粒材
【図１】
2020054277.tif 000004
【図２】
2020054277.tif 000005
【図３】
2020054277.tif 000006
【図４】
2020054277.tif 000007
【図５】
2020054277.tif 000008
【図６】
2020054277.tif 000009
【図７】
2020054277.tif 000010
【図８】
2020054277.tif 000011
【図９】
2020054277.tif 000012
【図１０】
2020054277.tif 000013
【図１１】
2020054277.tif 000014